(57)【要約】【課題】煩雑な製造工程を簡易にし、かつ、軽量でありながらも一定の自重を確保しつつ強度に優れた生物捕獲装置を提供する。【解決手段】海綿網目状の金属多孔体１０をシート状、板状またはブロック状に埋設したゴムからなる本体２と、海綿網目状の金属多孔体１０をシート状、板状またはブロック状に埋設したゴムからなる天板３とをビス４で連結することによって、生物捕獲装置１の外壁を構成し、金属多孔体１０は、本体２および天板３の厚みの１０％〜５０％の厚みを有する。【選択図】図１
2004229614.tif 000002
【特許請求の範囲】
【請求項１】
内部が中空の生物捕獲装置であって、
前記生物捕獲装置の外壁は、
所定の厚みを有する金属多孔体を埋設した弾性材からなる
ことを特徴とする生物捕獲装置。
【請求項２】
前記金属多孔体は、
全体積のうち一定の割合が空隙で占められ、
前記金属多孔体の形状は、シート状、板状またはブロック状のうちいずれかである
ことを特徴とする請求項１記載の生物捕獲装置。
【請求項３】
前記空隙が占める前記一定の割合は、
前記金属多孔体の全体積の７０％〜９８％である
ことを特徴とする請求項２記載の生物捕獲装置。
【請求項４】
前記金属多孔体の所定の厚みは、
前記弾性材の厚みの１０％〜５０％である
ことを特徴とする請求項１〜３のいずれか１項に記載の生物捕獲装置。
【請求項５】
前記金属多孔体は、
海綿網目状の構造を有し、
前記空隙に前記弾性材が含浸されている
ことを特徴とする請求項２〜４のいずれか１項に記載の生物捕獲装置。
【発明の詳細な説明】
【０００１】
【発明の属する技術の分野】
本発明は、生物捕獲装置に関し、特に水生生物を捕獲するための生物捕獲装置に関する。
【０００２】
【従来の技術】
従来、海や河川等において、魚介類を捕獲するために罠を水中に仕掛けることが行なわれる。例えば、蛸を捕獲する罠としては、蛸が狭い所を好むという習性を利用して、蛸壺や蛸箱等の漁具が使用される。この蛸箱は、数枚の木製板を組み合わせ、釘を打ち付けることによって各木製板を固定して製作され、海中の一定深度まで沈められる。そのため、比重が軽い木製の蛸箱の場合、内部に石等の重量物を入れて海中に沈められることになるが、木製であるために重量物によって蛸箱が破損したり、海中で腐食したりすることがあるため耐久性が低いという問題がある。
【０００３】
このようなことから、蛸箱に関する技術として、例えば、特許文献１が開示されている。この文献によれば、蛸箱をポリエチレン等の廃棄プラスチックと、砂や鉄粉等の加重剤とを混練させて成形することによって、蛸箱を自重で海中に沈ませるとともに、海中での腐食を防いで耐久性を向上させるというものである（特許文献１参照。）。
【０００４】
【特許文献１】
実開昭５２−５２５８９号公報（明細書）
【０００５】
【発明が解決しようとする課題】
しかしながら、上記のように廃棄プラスチックと加重剤とを混練させる場合、混練する作業に長時間を要したり、また、混練作業後にロールやミキサー等の練り機械を清掃する必要があったり、製造工程における煩わしさは耐え難い。
【０００６】
また、蛸箱は海底に沈めるだけでなく海中において安定した座りを発揮させるために一定の自重を確保することが重要となるが、上記のような蛸箱の場合、大量の加重剤を混練させなければならないため、蛸箱が重くなり取り扱いに労力を要するという問題がある。
【０００７】
さらに、蛸箱は、海中での腐食だけでなく海中に沈めたり、海中から引き揚げたりする際の水圧に対する強度が求められるが、上記蛸箱に関する技術は、腐食を防いで耐久性を向上させるものであり、水圧に対する耐久性の向上は図られていない。
【０００８】
そこで、本発明は、かかる問題点に鑑みなされたものであり、煩雑な製造工程を簡易にし、かつ、軽量でありながらも一定の自重を確保しつつ強度に優れた生物捕獲装置を提供することを目的とする。
【０００９】
【課題を解決するための手段】
上記目的を達成するために、本発明に係る生物捕獲装置は、内部が中空の生物捕獲装置であって、前記生物捕獲装置の外壁は、所定の厚みを有する金属多孔体を埋設した弾性材からなることを特徴とする。これによって、成形型内に金属多孔体を載置して弾性材を加硫成形するという簡易な製造工程となり、混練作業を行なう等の煩わしさをなくすことができる。
【００１０】
また、前記金属多孔体は、全体積の７０％〜９８％が空隙で占められ、前記金属多孔体の所定の厚みは、前記弾性材の厚みの１０％〜５０％であることを特徴とする。これによって、自重によって海中に沈下し、海中において安定した座りを発揮し、かつ、金属多孔体によって装置の強度を高めることができる。
【００１１】
さらに、前記金属多孔体は、海綿網目状の構造を有し、前記空隙に前記弾性材が含浸されていることを特徴とする。これによって、金属多孔体の強度がさらに増し、優れた補強効果が奏される。
【００１２】
【発明の実施の形態】
以下、本発明に係る実施の形態について、図面を参照しながら詳細に説明する。
【００１３】
図１は、本発明の実施の形態に係る生物捕獲装置の外観を示す斜視図である。
この生物捕獲装置１は、海中等に沈めて蛸等の水生生物を捕獲するための装置であり、箱状の本体２と天板３とをビス４によって連結させて構成され、内部が中空の直方体または立方体形状を有している。
【００１４】
本体２は、成形型内でゴム等の弾性材を加硫成形することによって、上部が開口した箱形に形成され、生物捕獲装置１の側壁と底壁とを構成する。そして、この生物捕獲装置１の側壁および底壁となる本体２の各壁の厚みは、例えば１．５ｃｍ程度であり、各壁には金属多孔体１０が埋設されている。さらに、この本体２は、例えば上部に、生物捕獲装置１を海中から引き揚げるための牽引ロープや紐を結びつけるための紐孔６が設けられ、また、例えば下部に、生物捕獲装置１内部の海水等を排出するための通水孔７が設けられる。
【００１５】
天板３は、成形型内でゴム等の弾性材を加硫成形して板状に生成され、生物捕獲装置１の天壁を構成する。そして、本体２の各壁と同様に、この天板３は金属多孔体１０が埋設されており、牽引ロープや紐を結びつけるための紐孔６が設けられる。さらに、この天板３は、例えば中央部に蛸等の生物が入り込むための入口孔５が設けられる。
【００１６】
入口孔５は、生物が生物捕獲装置１の中に入り込むための開口孔であり、円形や四角形等の形状とされ、生物が入り込むことができる適度の大きさを有する。
ビス４は、本体２と天板３とを固定する止め具であり、海水に浸されても錆びにくいステンレス等の材質で構成される。
【００１７】
図２は、図１に示すＡ−Ａ線における生物捕獲装置１の断面図である。
図２に示すように、生物捕獲装置１を構成する本体２および天板３には、金属多孔体１０が埋設されている。この金属多孔体１０は、ニッケル・クロム合金やニッケル等の金属材料からなり、これらの溶湯金属を鋳型に流し込むことによって、シート状、板状またはブロック状に形成される。図３を用いて、この金属多孔体１０についてさらに詳しく説明する。
【００１８】
図３は、図２における生物捕獲装置１断面のＢ部分を拡大した図および金属多孔体１０を拡大した図である。
図３に示すように、板状の金属多孔体１０は所定の厚み“ｔ”を有し、本体２に埋設されている。ここで、金属多孔体１０の厚みが薄い場合、生物捕獲装置１の強度を増加させる効果が少ないので、金属多孔体の厚み“ｔ”は、本体２の厚み“Ｇ”の１０％以上の値とする。一方、金属多孔体１０の厚み“ｔ”を大きくすると、生物捕獲装置１を製造するための材料コストが高くなってしまうので、金属多孔体１０の厚み“ｔ”は、本体２の厚み“Ｇ”の５０％未満の値に抑えることとし、さらに詳しく言えば、本体２の厚み“Ｇ”の２０〜４０％程度の値（例えば、３〜６ｍｍ程度）とすることが好ましい。
【００１９】
また、図３に拡大して示すように、この金属多孔体１０は微細な海綿網目状となっており、内部の空隙となる気孔部１１と、ニッケル・クロム合金やニッケル等の金属材料によって形成される骨格部１２とから構成される。この気孔部１１は、本体２または天板３の製造段階においてゴムを加硫成形する際にゴムが含浸される。これによって、金属多孔体１０の強度が増すので、生物捕獲装置１の補強効果を高めることができる。そのため、この気孔部１１の体積が金属多孔体１０の全体積に占める割合（金属多孔体率）が、金属多孔体１０において重要な要素となる。すなわち、金属多孔体率が７０％未満の場合、ゴムが含浸されにくいため金属多孔体１０に浸透するゴムの量が少なくなってしまうので、生物捕獲装置１の補強効果が小さい。一方、金属多孔体率が９８％以上の場合、金属多孔体１０の製造が困難であり、また金属多孔体１０の強度が不足して生物捕獲装置１の補強効果が期待できないおそれもある。従って、金属多孔体１０における金属多孔体率は７０〜９８％程度とすることが好ましい。
【００２０】
このような金属多孔体１０を本体２および天板３に埋設することによって、生物捕獲装置１は、ゴム等の弾性材単体で成形される場合と比して強度が増すため、水圧等によって容易に変形しにくくなる。
【００２１】
以上のように構成された生物捕獲装置１は、成形型内において金属多孔体１０を埋設した状態でゴムを加硫成形するという簡易な工程によって製造することができるので、混練作業を必要とせず、ロールやミキサー等の練り機械を清掃する煩わしさがなくなる。また、生物捕獲装置１は、各壁部が海綿網目状の金属多孔体１０を埋設したゴム製とされるので、軽量でありながらも自重によって海中に沈下し、海中において安定した座りを発揮することができる。さらに、埋設される金属多孔体１０にゴムが含浸されるため、生物捕獲装置１は強度に優れたものとなる。
【００２２】
次に、本実施の形態に係る生物捕獲装置の変形例について図４を用いて説明する。
図４は、本実施形態の変形例に係る生物捕獲装置の外観を示す斜視図である。
【００２３】
この生物捕獲装置１Ａは、海中等に沈めて蛸等の水生生物を捕獲するための装置であり、内部が中空の直方体または立方体形状を有している点において、上記の生物捕獲装置１と共通しているが、複数のゴム製の板を組み合わせて構成される点において上記の生物捕獲装置１と異なる。
【００２４】
図４に示すように、この生物捕獲装置１Ａは、正面板２０、背面板３０、２枚の側面板４０、天板５０および底板６０を組み合わせて各板に設けられたねじ穴７０にビスを螺嵌し固定することによって構成される。
【００２５】
この生物捕獲装置１Ａを構成する各板は、ゴム等の弾性材を加硫成形して構成され、金属多孔体１０が埋設されている。正面板２０は、中央部に上記生物捕獲装置１と同様の入口孔２１を備える。また、背面板３０は、牽引ロープや紐を結びつけるとともに生物捕獲装置１Ａ内部の海水等を排出するための背面孔３１を備える。そして、この入口孔２１と背面孔３１とによって、生物捕獲装置１Ａを貫通する装置貫通孔が構成され、この装置貫通孔と直交するようにビスを螺嵌することができるようにねじ穴７０が設けられる。
【００２６】
このように構成された生物捕獲装置１Ａは、海中に沈めたり、海中から引き揚げたりする際には、装置貫通孔から水が排出されることになるので、装置貫通孔と直交するように螺嵌されたビスが水圧の過負荷によって抜け落ちることを防ぐことができる。
【００２７】
また、複数のゴム製板に夫々埋設された金属多孔体１０が優れた補強効果を発揮するので、これらのゴム製板を組み合わせた生物捕獲装置１Ａは、プラスチックと加重剤とを混練させて成形する場合よりも水圧等による変形や破損が生じにくくなる。
【００２８】
以上、本発明に係る生物捕獲装置について実施の形態およびその変形例に基づいて説明したが、本発明は、この実施の形態および変形例に限定されるものではない。
【００２９】
例えば、上記実施の形態および変形例において、生物捕獲装置は、内部が中空の直方体または立方体の形状を有しているとしているが、直方体または立方体形状に限られることはなく、三角柱形状等のような多面体構造を有していればよい。
【００３０】
また、上記実施の形態および変形例において、金属多孔体は、ニッケル・クロム合金等の金属材料からなるとしているが、これらの金属材料の種類は例示に過ぎず、コバルトやコバルト・クロム合金等を用いて形成してもよい。
【００３１】
さらに、上記実施の形態および変形例において、本体と天板との固定およびゴム製板同士の固定にビスを用いているが、釘やボルト等を用いてもよい。
【００３２】
【発明の効果】
以上の説明から明らかなように、本発明に係る生物捕獲装置によれば、製造工程が成形型内に金属多孔体を載置してゴムを加硫成形するという簡易な工程となり、混練作業を行なう等の煩わしさを解消することができる。
【００３３】
また、本発明に係る生物捕獲装置によれば、ゴム製の各壁部に海綿網目状の金属多孔体が埋設されることになるので、軽量でありながらも自重によって海中に沈下し、海中において安定した座りを発揮することができるとともに、装置の強度を高めることができる。
【００３４】
さらに、ゴムからなる各壁部に埋設される金属多孔体の内部にはゴムが含浸されるので、金属多孔体の強度がさらに増し、優れた補強効果が奏される。
【図面の簡単な説明】
【図１】本発明の実施の形態に係る生物捕獲装置の外観を示す斜視図である。
【図２】図１に示すＡ−Ａ線における断面図である。
【図３】図２における生物捕獲装置断面のＢ部分の拡大図および金属多孔体の拡大図である。
【図４】本発明の実施形態の変形例に係る生物捕獲装置の外観を示す斜視図である。
【符号の説明】
１、１Ａ  生物捕獲装置
２  本体
３、５０  天板
４  ビス
５、２１  入口孔
６  紐孔
７  通水孔
１０  金属多孔体
１１  気孔部
１２  骨格部
２０  正面板
３０  背面板
３１  背面孔
４０  側面板
６０  底板
７０  ねじ穴
【図１】
2004229614.tif 000003
【図２】
2004229614.tif 000004
【図３】
2004229614.tif 000005
【図４】
2004229614.tif 000006